(57)【要約】【課題】保守・点検の際、風車を支柱の長さ方向に沿って低い位置まで下げ、作業を行ないやすくした風力発電装置を提供する。【解決手段】風車２４を取り付ける支柱１の外面に支柱１の上端から下方に適当長さ範囲に亘ってラック１４を取り付け、風車２４を取り付け前記支柱１に沿って昇降するケーシング１５に前記ラック１４と噛合するピニオンを設けるとともにピニオンを駆動するモーター２０を設けた。【選択図】図１
2011099326.tif 000002
【特許請求の範囲】
【請求項１】
風車を取り付ける支柱の外面に支柱の上端から下方に適当長さ範囲に亘ってラックを取り付け、風車を取り付け前記支柱に沿って昇降する昇降体に前記ラックと噛合するピニオンを設けるとともにピニオンを駆動するモーターを設けたことを特徴とする風力発電装置。
【請求項２】
１本の支柱の外面に支柱の上端から下方に適当長さ範囲に亘ってラックを取り付け、この１本の支柱に沿って昇降する昇降体に上向きの状態と水平に向いた状態との間で９０度の範囲で水平軸心の周りで回転可能に風車支持体を取り付け、この風車支持体に風車から下方に伸びる支持軸を結合させ、上端の支柱ブロックの上端には風車支持体の上昇時に風車支持体に備えた作動片を下側から当接させ風車を立ち上がらせるための作動棒を備えていることを特徴とする請求項１記載の風力発電装置。
【請求項３】
２本の平行な支柱の外面に各支柱の上端から下方に適当長さ範囲に亘ってラックを取り付け、この２本の支柱に沿って昇降するゴンドラからなる昇降体の空間内に風車が取り付けられていることを特徴とする請求項１記載の風力発電装置。
【発明の詳細な説明】
【技術分野】
【０００１】
本発明は、支柱の上端に風車が取り付けられる風力発電装置に関するものである。
【背景技術】
【０００２】
従来のこの種風力発電装置としては特許文献１に開示されているように、地盤に支持される支柱の上端に風車が位置固定に取り付けられたものが一般に多く使用されている。
【先行技術文献】
【特許文献】
【０００３】
【特許文献１】特開２００２−３３９８５２号公報
【発明の概要】
【発明が解決しようとする課題】
【０００４】
上記特許文献１に開示されているような地盤に支持される支柱の上端に風車が位置固定に取り付けられたものであると、支柱上端の風車取り付け部の保守・点検の際、作業員が支柱の上端まで昇らなければならず、作業に危険を伴い、作業に手間がかかるという問題があった。
【０００５】
本発明の目的は、このような課題を解決するものであり、保守・点検の際、風車を支柱の長さ方向に沿って低い位置まで下げ、作業を行ないやすくした風力発電装置を提供することにある。
【課題を解決するための手段】
【０００６】
本発明の請求項１に記載の風力発電装置は、風車を取り付ける支柱の外面に支柱の上端から下方に適当長さ範囲に亘ってラックを取り付け、風車を取り付け前記支柱に沿って昇降する昇降体に前記ラックと噛合するピニオンを設けるとともにピニオンを駆動するモーターを設けたことを特徴とする。
【０００７】
請求項２に記載の風力発電装置は、１本の支柱の外面に支柱の上端から下方に適当長さ範囲に亘ってラックを取り付け、この１本の支柱に沿って昇降する昇降体に上向きの状態と水平に向いた状態との間で９０度の範囲で水平軸心の周りで回転可能に風車支持体を取り付け、この風車支持体に風車から下方に伸びる支持軸を結合させ、上端の支柱ブロックの上端には風車支持体の上昇時に風車支持体に備えた作動片を下側から当接させ風車を立ち上がらせるための作動棒を備えていることを特徴とする。
【０００８】
請求項３に記載の風力発電装置は、２本の平行な支柱の外面に各支柱の上端から下方に適当長さ範囲に亘ってラックを取り付け、この２本の支柱に沿って昇降するゴンドラからなる昇降体の空間内に風車が取り付けられていることを特徴とする。
【発明の効果】
【０００９】
以上のように、本発明の風力発電装置は、風車は支柱に沿って昇降する昇降体に取り付けられているので、保守・点検の際、風車を昇降体とともに支柱の長さ方向に沿って低い位置まで下げることができ、作業が行ないやすくなる。また、昇降体に風車支持体を上向きの状態と水平に向いた状態との間で９０度の範囲で水平軸心の周りで回転可能に取り付け、この風車支持体に風車から下方に伸びる支持軸を結合させ、上端の支柱ブロックの上端で風車を立ち上がらせるようにすることにより、風車を昇降体とともに支柱の長さ方向に沿って低い位置まで下げたときは風車は横向きの状態となって風車の高さが低くなって保守・点検作業が行ないやすくなる。さらに、風が強いとき、風車を昇降体とともに下降させておくことにより、風による風車の損傷を防止でき、安全である。
【図面の簡単な説明】
【００１０】
【図１】本発明の第１の実施の形態における風力発電装置の全体正面図である。
【図２】同風力発電装置の平面図である。
【図３】同風力発電装置の側面図である。
【図４】同風力発電装置を支える支柱の分解図である。
【図５】同支柱の完成状態の正面図である。
【図６】同支柱の完成状態の側面図である。
【図７】同支柱の上端部の一部切り欠き拡大正面図である。
【図８】同支柱に取り付けられ昇降する風車取り付けケーシングの一部切り欠き拡大斜視図である。
【図９】同支柱に取り付けられたケーシングに風車が取り付けられた状態を示す拡大斜視図である。
【図１０】同ケーシングの昇降機構部の斜視図である。
【図１１】同ケーシングに対する風車の支持部の拡大断面図である。
【図１２】（Ａ）〜（Ｄ）は同ケーシングの昇降により風車が横向きの状態と上向きの状態との間で回転する状態を示す動作説明図である。
【図１３】本発明の第２の実施の形態における風力発電装置の全体正面図である。
【図１４】同風力発電装置の平面図である。
【図１５】同風力発電装置の側面図である。
【図１６】同風力発電装置を支える支柱の分解図である。
【図１７】同支柱の完成状態の正面図である。
【図１８】同支柱の完成状態の側面図である。
【図１９】同支柱の接続部の拡大断面図である。
【図２０】同２本の支柱の上端間を繋ぐ上横枠と支柱との関係を示す斜視図である。
【図２１】同支柱に昇降可能に支持されるゴンドラの斜視図である。
【図２２】同支柱に昇降可能に支持されるゴンドラの平面図である。
【図２３】同支柱に昇降可能に支持されるゴンドラの断面図である。
【図２４】同ゴンドラの昇降機構部の正面図である。
【図２５】同ゴンドラの昇降機構部の拡大平面図である。
【図２６】同ゴンドラに対する風車の支持部の拡大断面図である。
【図２７】本発明の第３の実施の形態における風力発電装置の全体正面図である。
【図２８】同ゴンドラに対する風車の支持部の拡大断面図である。
【発明を実施するための形態】
【００１１】
以下、本発明の実施の形態を、図面を用いて具体的に説明する。
先ず、図１〜図１２に示す第１の実施の形態について説明すると、１は鉛直方向に立設された風力発電装置の支柱で、この支柱１は鉄またはステンレスなどからなる複数本の円筒状の支柱ブロック２〜７を下から上に鉄またはステンレスなどからなる複数の円筒状のジョイント部材８〜１２を介して接続して上方に積み上げるように構成されている。詳しくは、支柱ブロック２〜７の内最下段に位置する支柱ブロック２は下端に排水口２ａが形成されるとともに上端が開口しており、この支柱ブロック２は上端が地面に揃うように地中に鉛直方向に埋設されるようになる。この支柱ブロック２の上端の開口部にジョイント部材８の下半分が差し込まれ、支柱ブロック２の上端の側面に形成したねじ挿通孔２ｂより挿通した雄ねじ部材１３をジョイント部材８の下半分の側面に形成した雌ねじ孔８ａに螺合させて締め付けることにより支柱ブロック２の上端にジョイント部材８が取り付けられている。このように、最下段に位置する支柱ブロック２の上端に上半分が突出するように取り付けられたジョイント部材８の上半分には最下段の支柱ブロック２の上に来る次の支柱ブロック３の下端が外嵌され、支柱ブロック３の下端の側面に形成したねじ挿通孔３ａより挿通した雄ねじ部材１３をジョイント部材８の上半分の側面に形成した雌ねじ孔８ｂに螺合させて締め付けることにより支柱ブロック２の上端に支柱ブロック３が接続される。次に、支柱ブロック３の上端の開口部にジョイント部材９の下半分が差し込まれる。このジョイント部材９は下半分の外径が支柱ブロック３の内径に合うように作られ、上半分の外径は下半分の外径よりも小さくなるように下半分と上半分との間に段差９ａが形成され、支柱ブロック３の上端の開口部にジョイント部材９の下半分が差し込まれた状態で支柱ブロック３の上端の側面に形成したねじ挿通孔３ｂより挿通した雄ねじ部材１３をジョイント部材９の下半分の側面に形成した雌ねじ孔９ｂに螺合させて締め付けることにより支柱ブロック３の上端にジョイント部材９が取り付けられる。支柱ブロック３の上端に取り付けられたジョイント部材９は上半分が支柱ブロック３の上端から突出し、このジョイント部材９の上半分には支柱ブロック３の上に来る次の支柱ブロック４の下端が外嵌されるとともに支柱ブロック４の下端は前記段差９ａ上に載り、かかる状態で支柱ブロック４の下端の側面に形成したねじ挿通孔４ａより挿通した雄ねじ部材１３をジョイント部材９の上半分の側面に形成した雌ねじ孔９ｃに螺合させて締め付けることにより支柱ブロック３の上端に支柱ブロック４が接続される。この支柱ブロック４の径は前記支柱ブロック２および３の径よりも細く作られている。次に、支柱ブロック４の上端の開口部にジョイント部材１０の下半分が差し込まれ、かかる状態で支柱ブロック４の上端の側面に形成したねじ挿通孔４ｂより挿通した雄ねじ部材１３をジョイント部材１０の下半分の側面に形成した雌ねじ孔１０ａに螺合させて締め付けることにより支柱ブロック４の上端にジョイント部材１０が取り付けられる。このジョイント部材１０の下半分と上半分との間には前記ジョイント部材９のような段差が存在せず、上下方向全長に亘って同径である。支柱ブロック４の上端に取り付けられたジョイント部材１０は上半分が支柱ブロック４の上端から突出し、このジョイント部材１０の上半分には支柱ブロック４の上に来る次の支柱ブロック５の下端が外嵌され、かかる状態で支柱ブロック５の下端の側面に形成したねじ挿通孔５ａより挿通した雄ねじ部材１３をジョイント部材１０の上半分の側面に形成した雌ねじ孔１０ｂに螺合させて締め付けることにより支柱ブロック４の上端に支柱ブロック５が接続される。次に、支柱ブロック５の上端の開口部にジョイント部材１１の下半分が差し込まれ、かかる状態で支柱ブロック５の上端の側面に形成したねじ挿通孔５ｂより挿通した雄ねじ部材１３をジョイント部材１１の下半分の側面に形成した雌ねじ孔１１ａに螺合させて締め付けることにより支柱ブロック５の上端にジョイント部材１１が取り付けられる。このジョイント部材１１も前記ジョイント部材１０と同様に段差が存在せず、上下方向全長に亘って同径である。支柱ブロック５の上端に取り付けられたジョイント部材１１は上半分が支柱ブロック５の上端から突出し、このジョイント部材１１の上半分には支柱ブロック５の上に来る次の支柱ブロック６の下端が外嵌され、かかる状態で支柱ブロック６の下端の側面に形成したねじ挿通孔６ａより挿通した雄ねじ部材１３をジョイント部材１１の上半分の側面に形成した雌ねじ孔１１ｂに螺合させて締め付けることにより支柱ブロック５の上端に支柱ブロック６が接続される。次に、支柱ブロック６の上端の開口部にジョイント部材１２の下半分が差し込まれ、かかる状態で支柱ブロック６の上端の側面に形成したねじ挿通孔６ｂより挿通した雄ねじ部材１３をジョイント部材１２の下半分の側面に形成した雌ねじ孔１２ａに螺合させて締め付けることにより支柱ブロック６の上端にジョイント部材１２が取り付けられる。支柱ブロック６の上端に取り付けられたジョイント部材１２は上半分が支柱ブロック６の上端から突出し、このジョイント部材１２の上半分には支柱ブロック６の上に来る次の支柱ブロック７の下端が外嵌され、かかる状態で支柱ブロック７の下端の側面に形成したねじ挿通孔７ａより挿通した雄ねじ部材１３をジョイント部材１２の上半分の側面に形成した雌ねじ孔１２ｂに螺合させて締め付けることにより支柱ブロック６の上端に支柱ブロック７が接続される。この支柱ブロック７が支柱１の最上端に位置するブロックとなる。なお、支柱ブロック２〜７とジョイント部材８〜１２を繋ぐ雄ねじ部材１３は支柱ブロック２〜７の表面から突出しないように構成されている。
【００１２】
上記のように６本の支柱ブロック２〜７が繋がれてなる支柱１には上部４本の支柱ブロック４〜７の外面、詳しくは側面に上下方向に繋がるラック１４が取り付けられている。１５は前記支柱１にラック１４が設けられている範囲で上下動可能に装着される風車取り付けケーシングで、このケーシング１５の上下両端の板部１６，１７には前記支柱ブロック４〜７およびラック１４に外から嵌まり上下動可能となるように孔部１６ａ，１７ａが形成され、ケーシング１５内に設けたピニオン１８がラック１４に噛合し、ピニオン１８が回転することによってケーシング１５が上下動するように構成されている。さらに詳しくは、ピニオン１８は同軸に歯車１９を備え、モーター２０により回転する歯車２１と前記歯車１９との間に前記歯車２１と噛合する第１の中間歯車２２を備え、この第１の中間歯車２２と同軸に第２の中間歯車２３を備え、この第２の中間歯車２３とピニオン１８と同軸の歯車１９を噛合させ、前記モーター２０により歯車２１が回転してその回転がピニオン１８に伝達され、ケーシング１５が上下動するように構成されている。ケーシング１５の上端には風車２４から下方に伸びる支持軸２５を嵌入させねじなどで固定させる風車支持体２６を上向きの状態と水平に向いた状態との間で９０度の範囲で水平軸心の周りで回転可能に取り付けている。詳しくは、この風車支持体２６はケーシング１５を前後から挟むように軸２７によりケーシング１５に対して水平軸心の周りで回転可能に支持される門型の支持部２８と、風車支持体２６が上向きの状態となったときに門型の支持部２８から上方に突出して前記風車２４の支持軸２５を嵌入固定させる筒状部２９と、前記門型の支持部２８の片側の下端から延出され風車２４とともに風車支持体２６を上向きの状態と水平に向いた状態との間で回転させるときの作動片３０とを備えている。
【００１３】
一方、前記上端の支柱ブロック７の上端は風車支持体２６の門型の支持部２８が回転するときに当たらないように一側部の角を無くして円弧状に形成され、また支柱ブロック７の上端には他側部から支柱ブロック７と平行に下向きに垂下し下端にケーシング１５、つまり風車２４の上昇につれて前記作動片３０を下側から当接させ風車２４を立ち上がらせるために作動棒３１を備えた作動棒取り付け金具３２が取り付けられている。
【００１４】
上記構成において、前記ケーシング１５はラック１４が取り付けられた支柱ブロック４〜７の長さ範囲で昇降するものである。即ち、ケーシング１５に内蔵されたピニオン１８がラック１４に噛合しており、ケーシング１５が支柱ブロック４〜７の内、一番下側に位置する支柱ブロック４のラック１４の下端にピニオン１８が噛合した状態において風車支持体２６は水平に向いた状態で風車２４も横向きの状態であり、この状態から前記モーター２０が一方向に回転することによりピニオン１８が回転してラック１４に沿ってケーシング１５が上昇する。図１２（Ａ）〜（Ｄ）はケーシング１５が上昇する過程を示し、その過程で図１２（Ｂ）に示すように前記作動片３０が前記作動棒３１に下から当接する。その後、ケーシング１５が上昇するにつれて風車支持体２６および風車２４は作動棒３１を支点として起き上がる方向に回転し、図１２（Ｄ）に示すように風車支持体２６および風車２４が一番上側に位置する支柱ブロック７の上端で完全に起立状態となる。この状態で風車２４は使用可能な状態となり、発電に供することができる。風車支持体２６および風車２４などをメンテナンスのために一番下側に位置する支柱ブロック４の下端近傍まで下げるときは、モーター２０を逆転させることによりケーシング１５が下降しながら風車支持体２６および風車２４は作動棒３１を支点として倒れる方向に回転し、最終的に図１２（Ａ）に示すように風車支持体２６および風車２４は横向きの状態で停止する。ところで、風車支持体２６および風車２４は横向きの状態で保持するために前記ケーシング１５には風車支持体２６の門型の支持部２８を水平状態で受けるための受けピン３３が設けられている。なお、図面には示されていないが、風車支持体２６および風車２４が一番上側に位置する支柱ブロック７の上端から下降する際、倒れやすくするために、一番上側に位置する支柱ブロック７の上端にばねで付勢され先端が風車支持体２６に当接する押しピンを設けるようにしても良い。
【００１５】
次に、図１３〜図２６に示す第２の実施の形態について説明すると、前記第１の実施の形態では１本の支柱１に沿ってケーシング１５、風車支持体２６からなる昇降体および風車２４が昇降可能に構成されているが、第２の実施の形態は鉛直方向に立設された２本の平行な支柱４１に沿ってゴンドラ４２からなる昇降体および風車４３が昇降可能に構成されている。即ち、２本の各支柱４１は鉄またはステンレスなどからなる複数本の円筒状の支柱ブロック４４〜４８を下から上に鉄またはステンレスなどからなる複数の円筒状のジョイント部材４９〜５２を介して接続して上方に積み上げるように構成されている。詳しくは、支柱ブロック４４〜４８の内最下段に位置する支柱ブロック４４は下端に排水口４４ａが形成されるとともに上端が開口しており、この支柱ブロック４４は上端が地面に揃うように地中に鉛直方向に埋設されるようになる。この支柱ブロック４４の上端の開口部にジョイント部材４９の下半分が差し込まれ、支柱ブロック４４の上端の側面に形成したねじ挿通孔４４ｂより挿通した雄ねじ部材５３をジョイント部材４９の下半分の側面に形成した雌ねじ孔４９ａに螺合させて締め付けることにより支柱ブロック４４の上端にジョイント部材４９が取り付けられている。このように、最下段に位置する支柱ブロック４４の上端に上半分が突出するように取り付けられたジョイント部材４９の上半分には最下段の支柱ブロック４４の上に来る次の支柱ブロック４５の下端が外嵌され、支柱ブロック４５の下端の側面に形成したねじ挿通孔４５ａより挿通した雄ねじ部材５３をジョイント部材４９の上半分の側面に形成した雌ねじ孔４９ｂに螺合させて締め付けることにより支柱ブロック４４の上端に支柱ブロック４５が接続される。次に、支柱ブロック４５の上端の開口部にジョイント部材５０の下半分が差し込まれる。このジョイント部材５０は下半分の外径が支柱ブロック４５の内径に合うように作られ、上半分の外径は下半分の外径よりも小さくなるように下半分と上半分との間に段差５０ａが形成され、支柱ブロック４５の上端の開口部にジョイント部材５０の下半分が差し込まれた状態で支柱ブロック４５の上端の側面に形成したねじ挿通孔４５ｂより挿通した雄ねじ部材５３をジョイント部材５０の下半分の側面に形成した雌ねじ孔５０ｂに螺合させて締め付けることにより支柱ブロック４５の上端にジョイント部材５０が取り付けられる。支柱ブロック４５の上端に取り付けられたジョイント部材５０は上半分が支柱ブロック４５の上端から突出し、このジョイント部材５０の上半分には支柱ブロック４５の上に来る次の支柱ブロック４６の下端が外嵌されるとともに支柱ブロック４６の下端は前記段差５０ａ上に載り、かかる状態で支柱ブロック４６の下端の側面に形成したねじ挿通孔４６ａより挿通した雄ねじ部材５３をジョイント部材５０の上半分の側面に形成した雌ねじ孔５０ｃに螺合させて締め付けることにより支柱ブロック４５の上端に支柱ブロック４６が接続される。この支柱ブロック４６の径は前記支柱ブロック４４および４５の径よりも細く作られている。次に、支柱ブロック４６の上端の開口部にジョイント部材５１の下半分が差し込まれ、かかる状態で支柱ブロック４６の上端の側面に形成したねじ挿通孔４６ｂより挿通した雄ねじ部材５３をジョイント部材５１の下半分の側面に形成した雌ねじ孔５１ａに螺合させて締め付けることにより支柱ブロック４６の上端にジョイント部材５１が取り付けられる。このジョイント部材５１の下半分と上半分との間には前記ジョイント部材５０のような段差が存在せず、上下方向全長に亘って同径である。支柱ブロック４６の上端に取り付けられたジョイント部材５１は上半分が支柱ブロック４６の上端から突出し、このジョイント部材５１の上半分には支柱ブロック４６の上に来る次の支柱ブロック４７の下端が外嵌され、かかる状態で支柱ブロック４７の下端の側面に形成したねじ挿通孔４７ａより挿通した雄ねじ部材５３をジョイント部材５１の上半分の側面に形成した雌ねじ孔５１ｂに螺合させて締め付けることにより支柱ブロック４６の上端に支柱ブロック４７が接続される。次に、支柱ブロック４７の上端の開口部にジョイント部材５２の下半分が差し込まれ、かかる状態で支柱ブロック４７の上端の側面に形成したねじ挿通孔４７ｂより挿通した雄ねじ部材５３をジョイント部材５２の下半分の側面に形成した雌ねじ孔５２ａに螺合させて締め付けることにより支柱ブロック４７の上端にジョイント部材５２が取り付けられる。支柱ブロック４７の上端に取り付けられたジョイント部材５２は上半分が支柱ブロック４７の上端から突出し、このジョイント部材５２の上半分には支柱ブロック４７の上に来る次の支柱ブロック４８の下端が外嵌され、かかる状態で支柱ブロック４８の下端の側面に形成したねじ挿通孔４８ａより挿通した雄ねじ部材５３をジョイント部材５２の上半分の側面に形成した雌ねじ孔５２ｂに螺合させて締め付けることにより支柱ブロック４７の上端に支柱ブロック４８が接続される。この支柱ブロック４８が支柱４１の最上端に位置するブロックとなる。なお、支柱ブロック４４〜４８とジョイント部材４９〜５２を繋ぐ雄ねじ部材５３は支柱ブロック４４〜４８の表面から突出しないように構成されている。
【００１６】
上記のようにして作られた２本の平行な支柱４１，４１の上端の支柱ブロック４８，４８の上端間は上横枠５４で繋がれる。支柱ブロック４８，４８の上端間に対する上横枠５４の取り付け部について説明すると、各支柱ブロック４８の上端には前記ジョイント部材５２と同様の円筒状のジョイント部材５５の下半分が差し込まれ、かかる状態で支柱ブロック４８の上端の側面に形成したねじ挿通孔４８ｂより挿通した雄ねじ部材５３をジョイント部材５５の下半分の側面に形成した雌ねじ孔５５ａに螺合させて締め付けることにより支柱ブロック４８の上端にジョイント部材５５が取り付けられる。支柱ブロック４８の上端に取り付けられたジョイント部材５５の上半分は支柱ブロック４８の上端から突出しており、この支柱ブロック４８の上端から突出したジョイント部材５５の上半分に上横枠５４の長さ方向両端のキャップ部５４ａが被さり、キャップ部５４ａの側面に形成したねじ挿通孔５４ｂより挿通した雄ねじ部材５３をジョイント部材５５の上半分の側面に形成した雌ねじ孔５５ｂに螺合させて締め付けることに支柱ブロック４８の上端に上横枠５４が取り付けられている。
【００１７】
上記のように５本の支柱ブロック４４〜４８が繋がれてなる各支柱４１には上部３本の支柱ブロック４６〜４８の外面、詳しくは前面に上下方向に繋がるラック５６が取り付けられている。２本の平行な支柱４１，４１に跨って昇降可能に装着される前記ゴンドラ４２は、長さ方向両端に前記支柱ブロック４６〜４８およびラック５６に外から嵌まり上下動可能となるように孔部５７ａ，５７ａが形成された上枠５７と、同じく長さ方向両端に前記支柱ブロック４６〜４８およびラック５６に外から嵌まり上下動可能となるように孔部５８ａ，５８ａが形成された下枠５８と、前記支柱４１，４１間の内側に沿って位置するように前記上枠５７と下枠５８とを繋ぎ下枠５８から下端が突出する縦枠５９，５９とからなり、この縦枠５９，５９の下端には両端に前記ラック５６に噛合するピニオン６０を取り付けた回転軸６１を貫通させて受ける孔部５９ａ，５９ａが形成された軸受け片５９ｂ，５９ｂが連設されている。そして、前記ゴンドラ４２の下枠５８には前記ピニオン６０を駆動する駆動部取り付け用のケーシング６２が吊り下げられるように取り付けられる。ケーシング６２は凵状を呈し、上端に前記下枠５８の下面に重なって下枠５８に対する取り付け板部６３を一体に備え、両側の立ち上がり板部６２ａの上端近傍には前記回転軸６１を挿通させる挿通孔６２ｂが形成されている。そして、前記ケーシング６２内においてピニオン６０を取り付ける回転軸６１に歯車６４を備え、ケーシング６２内に設けたモーター６５により回転する歯車６６と前記歯車６４との間に歯車６６と噛合する第１の中間歯車６７を備え、この第１の中間歯車６７と同軸に第２の中間歯車６８を備え、この第２の中間歯車６８とピニオン１８と同軸の歯車６４を噛合させ、前記モーター６５により歯車６６が回転してその回転がピニオン６０に伝達され、ケーシング６２および前記ゴンドラ４２が昇降するように構成されている。
【００１８】
前記上枠５７、下枠５８、縦枠５９，５９で構成される前記ゴンドラ４２で囲まれる空間内において、上枠５７、下枠５８に水平軸芯の周りで回転する風車４３の周りの枠体４３ａを鉛直軸芯の周りで首を振るように支持して取り付けている。６９は上枠５７、下枠５８に対する枠体４３ａの支持部であり、枠体４３ａの上下に設けた支持軸７０および７１を上枠５７および下枠５８に設けたベアリング７２および７３に差し込み、枠体４３ａを鉛直軸芯の周りで首を振るように支持している。
【００１９】
上記構成において、ゴンドラ４２からなる昇降体および風車４３はラック５６が取り付けられた支柱ブロック４６〜４８の長さ範囲で昇降するものである。即ち、ゴンドラ４２の下側で回転軸６１の両端に取れ付けられたピニオン６０はラック５６に噛合しており、前記モーター６５の正逆回転によりゴンドラ４２からなる昇降体および風車４３はラック５６が取り付け範囲で昇降することになる。風車４３を動作させる通常時はゴンドラ４２からなる昇降体とともに風車４３を支柱ブロック４８の上端に位置させることにより使用可能な状態となり、発電に供することができる。また、ゴンドラ４２内で風車４３の枠体４３ａが鉛直軸芯の周りで回転する支持されているので、枠体４３ａは風の向きに合わせて自在に首を振ることが可能であり、効率良く発電することができる。さらに、メンテナンスの際はモーター６５を上昇時とは逆方向に回してゴンドラ４２からなる昇降体とともに風車４３を一番下側に位置する支柱ブロック４６の下端近傍まで下げれば良い。
【００２０】
次に、図２７および図２８に示す第３の実施の形態について説明すると、この第３の実施の形態はゴンドラ４２内において上枠５７、下枠５８に鉛直軸芯の周りで回転するタービン型の風車４３を支持している。７４および７５は上枠５７、下枠５８に対する風車４３の上下の支持部であり、風車４３の上下に設けた支持軸７６および７７を上枠５７および下枠５８に設けたベアリング７８および７９に差し込み、風車４３を鉛直軸芯の周りで回転可能に支持している。基本的には他の構成は前記第２の実施の形態と同様である。
【００２１】
ところで、上記した各実施の形態において支柱ブロックの接続作業や支柱ブロックに対する昇降体および風車の取り付けなどの組み立て作業は横向きにして地上で行なわれるものであり、組み立て作業の後、全体を立てた状態で最下段に位置する支柱ブロックを地中に埋設するか、あるいは最下段に位置する支柱ブロックを切り離して地中に埋設しておき、他の支柱ブロックの接続作業や支柱ブロックに対する昇降体および風車の取り付けなどの組み立て作業の後、最下段に位置する支柱ブロックにその支柱ブロックのすぐ上の支柱ブロックを接続するものである。
【００２２】
上記した各実施の形態において、風車の昇降操作は地上から遠隔操作により行なうものであり、風速などに応じて風車の高さを最適に調整することも可能である。
【産業上の利用可能性】
【００２３】
本発明の風力発電装置は、保守・点検の際、風車を支柱の長さ方向に沿って低い位置まで下げ、作業を行ないやすくした風力発電装置である。
【符号の説明】
【００２４】
１                                        支柱
２，３，４，５，６，７                    支柱ブロック
２ｂ，３ａ，３ｂ，４ａ，４ｂ              ねじ挿通孔
５ａ，５ｂ，６ａ，６ｂ，７ａ              ねじ挿通孔
８，９，１０，１１，１２                  ジョイント部材
８ａ，８ｂ，９ｂ，９ｃ，１０ａ，１０ｂ    雌ねじ孔
１１ａ，１１ｂ，１２ａ，１２ｂ            雌ねじ孔
９ａ                                      段差
１３                                        雄ねじ部材
１４                                        ラック
１５                                        ケーシング
１６，１７                                  板部
１６ａ，１７ａ                              孔部
１８                                        ピニオン
１９                                        歯車
２０                                        モーター
２１                                        歯車
２２                                        第１の中間歯車
２３                                        第２の中間歯車
２４                                        風車
２５                                        支持軸
２６                                        風車支持体
２７                                        軸
２８                                        支持部
２９                                        筒状部
３０                                        作動片
３１                                        作動棒
３２                                        作動棒取り付け金具
３３                                        受けピン
４１                                        支柱
４２                                        ゴンドラ
４３                                        風車
４３ａ                                      枠体
４４，４５，４６，４７，４８                支柱ブロック
４４ｂ，４５ａ，４５ｂ，４６ａ，４６ｂ      ねじ挿通孔
４７ａ，４７ｂ，４８ａ，４８ｂ              ねじ挿通孔
４９，５０，５１，５２                      ジョイント部材
４９ａ，４９ｂ，５０ｂ，５０ｃ              雌ねじ孔
５１ａ，５１ｂ，５２ａ，５２ｂ              雌ねじ孔
５０ａ                                      段差
５３                                        雄ねじ部材
５４                                        上横枠
５４ａ                                      キャップ部
５４ｂ                                      ねじ挿通孔
５５                                        ジョイント部材
５５ａ，５５ｂ                              雌ねじ孔
５６                                        ラック
５７                                        上枠
５７ａ                                      孔部
５８                                        下枠
５８ａ                                      孔部
５９                                        縦枠
５９ａ                                      孔部
５９ｂ                                      軸受け片
６０                                        ピニオン
６１                                        回転軸
６２                                        ケーシング
６２ａ                                      立ち上がり板部
６２ｂ                                      挿通孔
６３                                        取り付け板部
６４                                        歯車
６５                                        モーター
６６                                        歯車
６７                                        第１の中間歯車
６８                                        第２の中間歯車
６９                                        支持部
７０，７１                                  支持軸
７２，７３                                  ベアリング
７４，７５                                  支持部
７６，７７                                  支持軸
７８，７９                                  ベアリング
【図１】
2011099326.tif 000003
【図２】
2011099326.tif 000004
【図３】
2011099326.tif 000005
【図４】
2011099326.tif 000006
【図５】
2011099326.tif 000007
【図６】
2011099326.tif 000008
【図７】
2011099326.tif 000009
【図８】
2011099326.tif 000010
【図９】
2011099326.tif 000011
【図１０】
2011099326.tif 000012
【図１１】
2011099326.tif 000013
【図１２】
2011099326.tif 000014
【図１３】
2011099326.tif 000015
【図１４】
2011099326.tif 000016
【図１５】
2011099326.tif 000017
【図１６】
2011099326.tif 000018
【図１７】
2011099326.tif 000019
【図１８】
2011099326.tif 000020
【図１９】
2011099326.tif 000021
【図２０】
2011099326.tif 000022
【図２１】
2011099326.tif 000023
【図２２】
2011099326.tif 000024
【図２３】
2011099326.tif 000025
【図２４】
2011099326.tif 000026
【図２５】
2011099326.tif 000027
【図２６】
2011099326.tif 000028
【図２７】
2011099326.tif 000029
【図２８】
2011099326.tif 000030